(57)【要約】【課題】  組付工数を削減することができるチェストを提供する。【解決手段】  前板１２ｂの上縁フランジ部９１に取っ手部９２を形成する。取っ手部９２裏側の上縁フランジ部９１に係止爪１０１を設け、係止爪１０１と取っ手部９２間に、引出本体１２ａの前面６２上縁の係止部１０２を挟持した状態で係合する。前板１２ｂの下縁フランジ部に係合穴を設け、下縁フランジが嵌着される引出本体１２ａ下面７１の部位に、各係合穴に挿入される係合凸部を突設する。【選択図】        図４
2005323647.tif 000002
【特許請求の範囲】
【請求項１】
チェスト本体に引き出し自在に収容される引出が、容器状の引出本体と、該引出本体の前部に取り付けられる前板とからなるチェストにおいて、
互いに係合する係合部及び被係合部とからなる係合構造を前記引出本体及び前記前板に設け、前記係合構造によって前記前板を前記引出本体に固定したことを特徴とするチェスト。
【請求項２】
前記前板の下縁に設けられたフランジ部に係合穴を設け、該係合穴に挿入される係合凸部を前記引出本体の底部側に設けるとともに、前記前板の上縁に設けられたフランジ部に下方へ向けて突出する係止爪を設け、該係止爪に係止され前記前板の前方への抜けを阻止する係止部を前記引出本体の上部側に設定して前記係合構造を構成したことを特徴とする請求項１記載のチェスト。
【請求項３】
前記前板の上縁部に、下方へ後退した凹部を設けて引き出し時に手を掛ける取っ手部を形成したことを特徴とする請求項１又は２記載のチェスト。
【請求項４】
前記取っ手部より裏側へ延出するフランジ部に、前記引出本体の前面上縁と係合する下方へ突出した係合爪を設けたことを特徴とする請求項３記載のチェスト。
【発明の詳細な説明】
【技術分野】
【０００１】
本発明は、衣類や小物などを収容するチェストに関する。
【背景技術】
【０００２】
従来、衣類や小物などを収納する際には、チェストが用いられていた。
【０００３】
このチェストは、チェスト本体と、該チェスト本体に引き出し自在に収容される引出とによって構成されている。
【０００４】
この引出としては、矩形容器状の引出本体と、その前面にネジ止めされた前板とで構成されたものが知られている。
【発明の開示】
【発明が解決しようとする課題】
【０００５】
しかしながら、このようなチェストにおいては、前板をタッピンネジで引出本体に固定する構造上、タッピンネジの締結工程が必要となり、組付工数の増加を招いていた。
【０００６】
本発明は、このような従来の課題に鑑みてなされたものであり、組付工数を削減することができるチェストを提供することを目的とするものである。
【課題を解決するための手段】
【０００７】
前記課題を解決するために本発明の請求項１のチェストにあっては、チェスト本体に引き出し自在に収容される引出が、容器状の引出本体と、該引出本体の前部に取り付けられる前板とからなるチェストにおいて、互いに係合する係合部及び被係合部とからなる係合構造を前記引出本体及び前記前板に設け、前記係合構造によって前記前板を前記引出本体に固定した。
【０００８】
すなわち、容器状の引出本体及び引出本体の前部に取り付けられる前板には、互いに係合する係合部及び被係合部とからなる係合構造が設けられており、この係合構造の係合部と被係合部とを互いに係合させることによって、タッピンネジ等を用いること無く、前記前板が前記引出本体に固定される。
【０００９】
また、請求項２のチェストにおいては、前記前板の下縁に設けられたフランジ部に係合穴を設け、該係合穴に挿入される係合凸部を前記引出本体の底部側に設けるとともに、前記前板の上縁に設けられたフランジ部に下方へ向けて突出する係止爪を設け、該係止爪に係止され前記前板の前方への抜けを阻止する係止部を前記引出本体の上部側に設定して前記係合構造を構成した。
【００１０】
すなわち、引出本体に前板を固定する際には、該前板のフランジ部に設けられた係合穴を、前記引出本体の底部側に設けられた係合凸部に係合させる。この状態で、前記前板の上縁部を引出本体側へ回動し、前記前板のフランジ部に設けられた係止爪を、前記引出本体の上部側に設定された係止部に係止する。
【００１１】
すると、前記係止爪と前記係止部との係合によって前板の前方への抜けが阻止され、当該前板が前記引出本体に固定される。
【００１２】
さらに、請求項３のチェストでは、前記前板の上縁部に、下方へ後退した凹部を設けて引き出し時に手を掛ける取っ手部を形成した。
【００１３】
すなわち、前板の上縁部には、下方へ後退した凹部が形成されており、この凹部によって手を掛ける取っ手部が形成されている。
【００１４】
このため、取っ手部が前板の下縁部に形成された場合と比較して、上方からの引き出し操作性の向上が図られる。
【００１５】
加えて、請求項４のチェストにあっては、前記取っ手部より裏側へ延出するフランジ部に、前記引出本体の前面上縁と係合する下方へ突出した係合爪を設けた。
【００１６】
すなわち、前板の上縁部に設けられた下方へ後退する取っ手部には、下方へ向けた操作力が加えられる。このとき、この取っ手部の裏面側には、下方へ突出する係合爪が設けられており、この係合爪は、前記引出本体の前面上縁と係合している。
【００１７】
このため、引き出し操作時に下方へ向けて働く操作力は、前記係合爪が前面上縁に係合する方向へ作用する。
【発明の効果】
【００１８】
以上説明したように、本発明の請求項１のチェストにあっては、引出本体及び前板に設定された係合構造を構成する係合部と被係合部とを互いに係合させることによって、タッピンネジ等を用いること無く、前記前板を前記引出本体に固定することができる。
【００１９】
したがって、前板をタッピンネジで引出本体に固定していた従来と比較して、タッピンネジの締結工程が不要となり、組付工数を削減することができる。これにより、製造コストを抑えることができる。
【００２０】
また、請求項２のチェストにおいては、前板のフランジ部に設けられた係合穴を引出本体の底部側の係合凸部に係合し、前記前板の上縁部を引出本体側へ回動して、前板の係止爪を前記引出本体の上部側に設定された係止部に係止するだけで、前記前板を前記引出本体に固定することができる。
【００２１】
これにより、引出本体への前板の取付作業性を向上することができる。
【００２２】
さらに、請求項３のチェストでは、前板の上縁部には、下方へ後退した凹部が形成されており、この凹部によって手を掛ける取っ手部が形成されている。
【００２３】
このため、取っ手部が前板の下縁部に形成された場合と比較して、上方からの引き出し操作性を高めることができる。これにより、腰を屈めること無く、引き出し操作を行うことができる。
【００２４】
加えて、請求項４のチェストにあっては、前板の上縁部に設けられた下方へ後退する取っ手部には、下方へ向けた操作力が加えられる。このとき、この取っ手部の裏面側には、下方へ突出する係合爪が設けられており、この係合爪は、前記引出本体の前面上縁と係合している。
【００２５】
このため、引き出し操作時に下方へ向けて働く操作力を、前記係合爪が前面上縁に係合する方向へ作用させることができる。よって、引き出し操作時に前板が引出本体から外れるといった不具合を確実に防止することができる。
【発明を実施するための最良の形態】
【００２６】
以下、本発明の一実施の形態を図に従って説明する。図１は、本実施の形態にかかるチェスト１を示す図であり、該チェスト１は、衣類や小物などを収納するものである。
【００２７】
このチェスト１は、図２にも示すように、フレームを形成するチェスト本体１１と、該チェスト本体１１に設けられた三つの矩形容器状の引出１２，・・・とによって構成されている。
【００２８】
前記チェスト本体１１は、上下に連結された三つのフレーム構成部材２１，・・・によって構成されており、下段のフレーム構成部材２１の底面２２には、脚部２３，・・・が設けられている。上段のフレーム構成部材２１には、天板２４が設けられており、各フレーム構成部材２１，・・・間及び上段のフレーム構成部材２１と天板２４間には、前記引出１２，・・・が引き出し自在に保持されている。
【００２９】
前記フレーム構成部材２１は、合成樹脂で形成されており、当該フレーム構成部材２１は、図３に示すように、中央部が開口した長方形状の底板部３１と、該底板部３１の四隅に起立した支柱３２，・・・とによって構成されている。
【００３０】
該支柱３２は、四角柱状に形成されており、前記底板部３１に起立した支柱本体４１と、該支柱本体４１の上端部に設けられた挿入部４２とによって一体形成されている。該挿入部４２は、前記支柱本体４１より小径に形成されており、前記挿入部４２が起立した前記支柱本体４１の上端には、段差部４４が形成されている。
【００３１】
前記支柱３２は、矩形筒状に形成されており、前記支柱本体４１の下端部には、下段に配置される支柱３２の挿入部４２及び前記脚部２３が選択的に挿入される連結部４５が設けられている。これにより、下段のフレーム構成部材２１の支柱３２の挿入部４２を、上段のフレーム構成部材２１の支柱３２の連結部４５に挿入し、下段の支柱本体４１の段差部４４を上段の支柱本体４１下端に当接した状態で、下段のフレーム構成部材２１と上段のフレーム構成部材２１とを連結できるように構成されている。
【００３２】
前記フレーム構成部材２１における前後の支柱３２，３２間には、両支柱３２，３２の下端部に架橋する下部側面５１が一体形成されており、該下部側面５１には、ローラ５２を備えた金属製の内レール５３が前記の支柱３２，３２に架橋して設けられている。
【００３３】
このフレーム構成部材２１の左右の支柱３２，３２間に保持される前記引出１２の引出本体１２ａは、図４に示すように、合成樹脂によって形成されており、上方が開口した矩形容器状に形成されている。この引出本体１２ａは、上下方向に型開きされる金型によって成形されており、左右の側面６１，６１及び前面６２並びに後面６３は、抜き勾配によって上方へ向かうに従って外側へ広がるように形成されている。
【００３４】
前記各側面６１，６１の下部には、前記内レール５３と対を成す金属製の外レール６５が設けられている。該外レール６５には、前記引出本体１２ａの下面７１側部に形成された図外の段部に固定される下部固定面と、該下部固定面より起立して前記引出本体１２ａの前記側面６１下部の後退部７４に固定される起立面７５とが設けられており、該起立面７５の前端下角部は、前記側面６１に形成された下部係止部７６と側面６１間に挟持された状態で保持されている。また、前記起立面７５の前端上角部は、前記側面６１に突設されたく字状突起７７によって前方への移動が規制されている。
【００３５】
そして、前記外レール６５の前記下部固定面は、前記引出本体１２ａの下面７１に設けられた側方に開口する断面Ｌ字状の係止片８１，・・・と下面７１間に挟持された状態で保持されれており、前記起立面７５の後端部には、ローラ８２が設けられている。
【００３６】
これにより、図５に示すように、前記内レール５３に設けられたローラ５２が前記外レール６５に設けられた上面ガイド８３を転動するとともに、前記外レール６５に設けられたローラ８２が前記内レール５３に設けられた上面ガイド８４を転動することによって、引出２１の移動が容易となるように構成されている。
【００３７】
この引出本体１２ａの前部には、前板１２ｂが固定されている。この前板１２ｂは、図６に示すように、横長の長方形状に形成されており、その周縁には、裏面側へ延出するフランジが全周に渡って形成されている。この前板１２ｂの上縁フランジ部９１には、図６及び図７に示すように、下方へ後退した台形状の凹部が中央部に形成されており、この凹部によって前板１２ｂの上縁部には、引き出し時に手を掛ける取っ手部９２が形成されている。この取っ手部９２の前縁には、図７の（ｂ）には、突条９３が延設されており、操作時に指を掛けられるように構成されている。
【００３８】
前記取っ手部９２の上縁より当該前板１２ｂの裏側へ延出した上縁フランジ部９１には、下方へ突出する係合爪である係止爪１０１が当該前板１２ｂの幅方向に延設されており、この係止爪１０１と前記取っ手部９２裏面との間に、図８の（ａ）に示すように、前記引出本体１２ａの前面６２上縁の中央部に設定された係止部１０２を挟持した状態で係合するように構成されている。これにより、前記係止爪１０１と前記係止部１０２とが係合することによって前記前板１２ｂの前方への抜けを阻止できるように構成されており、前記係止爪１０１と前記係止部１０２とによって互いに係合する本発明の係合構造が構成されている。
【００３９】
また、前記上縁フランジ部９１の両端部には、図６及び図７の（ａ）に示したように、下方へ突出するＬ字状の係止凸部１１１，１１１が形成されており、該係止凸部１１１は、前板１２ｂから後方に延出する後方延出部１１２と、該後方延出部１１２から当該前板１２ｂの中央部へ向けて延出する中央延出部１１３とによって形成されている。該中央延出部１１３は、図８の（ｂ）及び図９に示すように、前記引出本体１２ａの上縁端部に突設された凸部１１４の横溝１１５に挿入されるとともに、前記後方延出部１１２は、前記凸部１１４の側部に配置されるように構成されている。これにより、前記横溝１１５が形成された前記凸部１１４と前記係止凸部１１１とによって互いに係合する係合構造が構成されている。このとき、前記上縁フランジ部９１は、引出本体１２ａの上縁に突設されたストッパ１１６によって後方への移動が規制されている。
【００４０】
そして、図１０に示すように、前記前板１２ｂの下縁フランジ部１２１には、後縁に沿って延在する横長の係合穴１２２，・・・が複数並設されており、図１１に示すように、この下縁フランジ１２１が嵌着される前記引出本体１２ａ下面７１に突設された嵌着部１２３には、前記各係合穴１２２，・・・に挿入される係合凸部１２４が突設されている。これにより、前記係合穴１２２と前記係合凸部１２４とによって互いに係合する本発明の係合構造が構成されている。
【００４１】
以上の構成にかかる本実施の形態において、容器状の引出本体１２ａ及び該引出本体１２ａの前部に取り付けられる前板１２ｂには、互いに係合する係止爪１０１及び係止部１０２からなる係合構造と、係合穴１２２及び係合凸部１２４からなる係合構造と、係止凸部１１１及び横溝１１５を備えた凸部１１４からなる係合構造とが設けられており、これらの係合構造によってタッピンネジ等を用いること無く、前記前板１２ｂを前記引出本体１２ａに固定することができる。
【００４２】
したがって、前板をタッピンネジで引出本体に固定していた従来と比較して、タッピンネジの締結工程が不要となり、組付工数を削減することができる。これにより、製造コストを抑えることができる。
【００４３】
そして、前記引出本体１２ａに前板１２ｂを固定する際には、先ず、前板１２ｂの下縁フランジ部１２１に設けられた係合穴１２２，・・・を、前記引出本体１２ａの底部側に設けられた係合凸部１２４，・・・に係合する。この状態において、前記前板１２ｂの上縁部を引出本体１２ａ側へ回動し、前記前板１２ｂの上縁フランジ部９１に設けられた係止爪１０１を、前記引出本体１２ａの前面６２上縁に設定された係止部１０２に係止する。すると、前記係止爪１０１と前記係止部１０２との係合によって前板１２ｂの前方への抜けが阻止され、当該前板１２ｂが前記引出本体１２ａに固定される。
【００４４】
このような簡単な作業で、前記前板１２ｂを前記引出本体１２ａに固定することができる。これにより、前記引出本体１２ａへの前記前板１２ｂの取付作業性を向上することができる。
【００４５】
一方、前記前板１２ｂの上縁部には、下方へ後退する凹部が形成されることによって、手を掛ける取っ手部９２が形成されている。
【００４６】
このため、取っ手部が前板の下縁部に形成された場合と比較して、上方からの引き出し操作性を高めることができる。これにより、腰を屈めること無く、引き出し操作を行うことができる。
【００４７】
そして、この取っ手部９２には、下方へ向けた操作力が加えられる。このとき、この取っ手部９２の裏面側には、下方へ突出する係合爪１０１が設けられており、この係合爪１０１は、前記引出本体１２ａの前面６２上縁と係合している。
【００４８】
このため、引き出し操作時に下方へ向けて働く操作力を、前記係合爪１０１が前面６２上縁に係合する方向へ作用させることができる。よって、引き出し操作時に前板１２ｂが引出本体１２ａから不用意に外れるといった不具合を確実に防止することができる。
【図面の簡単な説明】
【００４９】
【図１】本発明の一実施の形態を示す正面図である。
【図２】同実施の形態の側面図である。
【図３】同実施の形態のフレーム構成部材の内側面を示す断面図である。
【図４】同実施の形態の引出本体を示す側面図である。
【図５】同実施の形態の引出をチェスト本体から引き出した状態を示す説明図である。
【図６】同実施の形態の前板を示す図で、図中右側に前面を、図中左側に裏面を示した図である。
【図７】（ａ）は、図６のＡ−Ａ線に沿った断面図であり、（ｂ）は、（ａ）のＢ−Ｂ線に沿った断面図である。
【図８】（ａ）は、図１のＣ−Ｃ線に沿った断面図であり、（ｂ）は、図１のＤ−Ｄ線に沿った断面図である。
【図９】図５のＥ−Ｅ線に沿った断面図である。
【図１０】同実施の形態の前板を示す底面図である。
【図１１】図１のＦ−Ｆ線に沿った断面図である。
【符号の説明】
【００５０】
１    チェスト
１１    チェスト本体
１２    引出
１２ａ  引出本体
１２ｂ  前板
６２    前面
９１    上縁フランジ部
９２    取っ手部
１０１    係止爪
１０２    係止部
１２１    下縁フランジ部
１２２    係合穴
１２４    係合凸部
【図１】
2005323647.tif 000003
【図２】
2005323647.tif 000004
【図３】
2005323647.tif 000005
【図４】
2005323647.tif 000006
【図５】
2005323647.tif 000007
【図６】
2005323647.tif 000008
【図７】
2005323647.tif 000009
【図８】
2005323647.tif 000010
【図９】
2005323647.tif 000011
【図１０】
2005323647.tif 000012
【図１１】
2005323647.tif 000013